(57)【要約】      （修正有）【課題】紙製の綴じ枠を用いたカレンダーにおいて、簡単な構造によって吊下げ紐をしっかりと取り付けることのできるカレンダーを提供する。【解決手段】複数枚のカレンダー紙を束ねてカレンダー冊子１３が構成される。カレンダー冊子１３の上端部は、二つ折りになった紙製の綴じ枠１４で綴じられている。このカレンダーの綴じ枠１４には、カレンダーを釘やフックに吊り下げるための吊下用孔が開口されており、また吊下げ紐１８が取り付けられている。吊下げ紐１８は、綴じ枠１４の内部において、ホットメルト樹脂などの接着剤によってその両端をカレンダー冊子１３の前面と綴じ枠１４の内面とに接着されている。【選択図】図３
0003167654.tif 000002
【実用新案登録請求の範囲】
【請求項１】
複数枚のカレンダー紙を束ねたカレンダー冊子の端部を非金属製の綴じ枠で綴じたカレンダーにおいて、
前記カレンダー冊子と前記綴じ枠のうち少なくとも一方に吊下げ紐のそれぞれの端部を貼り付けていることを特徴とするカレンダー。
【請求項２】
前記吊下げ紐の端部は、前記綴じ枠の内側において、それぞれ前記カレンダー冊子と前記綴じ枠のうち少なくとも一方に接着されていることを特徴とする、請求項１に記載のカレンダー。
【請求項３】
前記吊下げ紐の端部は、前記カレンダー冊子の前面又は背面において、それぞれ前記カレンダー冊子と前記綴じ枠のうち少なくとも一方に接着されていることを特徴とする、請求項２に記載のカレンダー。
【請求項４】
前記吊下げ紐の端部は、前記綴じ枠の内面と前記カレンダー冊子の前面又は背面とに接着されていることを特徴とする、請求項３に記載のカレンダー。
【請求項５】
前記カレンダー冊子は、複数個の接着剤注入孔を有し、
前記カレンダー冊子と前記綴じ枠は、前記接着剤注入孔に塗布された接着剤によって互いに接着されており、
前記吊下げ紐の端部は、前記接着剤注入孔から外れた位置において、それぞれ前記カレンダー冊子と前記綴じ枠のうち少なくとも一方に接着されていることを特徴とする、請求項２から４のうちいずれか１項に記載のカレンダー。
【請求項６】
前記吊下げ紐の端部は、前記接着剤注入孔に塗布される接着剤と同じ種類の接着剤によって、それぞれ前記カレンダー冊子と前記綴じ枠のうち少なくとも一方に接着されていることを特徴とする、請求項５に記載のカレンダー。
【請求項７】
前記吊下げ紐は、編み紐によって形成されていることを特徴とする、請求項１から６のうちいずれか１項に記載のカレンダー。
【請求項８】
前記吊下げ紐のうち貼り付けられていない部分が、前記カレンダー冊子に挟み込まれていることを特徴とする、請求項１から７のうちいずれか１項に記載のカレンダー。
【請求項９】
前記綴じ枠は、紙によって形成されていることを特徴とする、請求項１から８のうちいずれか１項に記載のカレンダー。
【考案の詳細な説明】
【技術分野】
【０００１】
本考案はカレンダーに関する。具体的には、本考案は、壁などに吊り下げるための吊下げ紐を備えたカレンダーに関するものである。
【背景技術】
【０００２】
壁掛け用のカレンダーは、１年間の暦を１ヵ月単位又は２ヵ月単位で印刷された複数枚のカレンダー紙（すなわち、カレンダー冊子）を綴じ枠（ヘッダー）で綴じたものである。このようなカレンダーのうち綴じ枠が金属製のものでは、綴じ枠の一部を切り起こして環状の吊下用リング部を設けたり、吊下げ紐を設けたりして、カレンダーを釘やフックに吊り下げられるようにしている。
【０００３】
一方、カレンダーのリサイクルを容易にし、またカレンダーの分別回収の手間を省くため、最近では綴じ枠を紙製としたものが増加してきている。紙製の綴じ枠を用いたカレンダーでは、一般に、丸い吊下用孔が綴じ枠にあけられており、吊下用孔に釘などを通してカレンダーを吊り下げるようにしている。
【０００４】
しかし、このような吊下用孔では釘などにカレンダーを吊り下げることはできても、幅の広い掛け具や異形の掛け具に吊り下げることができない。そのため、紙製の綴じ枠を用いたカレンダーにも、吊下げ紐を設けることが望まれている。
【０００５】
金属製の綴じ枠を用いたカレンダーでは、吊下げ紐の両端を綴じ枠とカレンダー冊子との間に挟み込み、綴じ枠をかしめることによって吊下げ紐の端をカレンダーに保持させている。これに対し、紙製の綴じ枠の場合には、金属製の綴じ枠のようにかしめることができないので、吊下げ紐の端を紙製の綴じ枠内に挟み込んでも吊下げ紐の保持力が弱く、容易に吊下げ紐の端が綴じ枠から抜けてしまう問題があった。
【０００６】
そのため、従来にあっては、特許文献１に開示されているように、カレンダー冊子の上端部を二つ折りの綴じ枠で挟んだ状態で綴じ糸によってカレンダー冊子と綴じ枠を縫って綴じ、綴じ糸の両端を綴じ枠の外で結んで吊下げ紐を形成している。しかし、このような方法では、吊下げ紐として細い綴じ糸しか使用することができず、吊下げ紐として使用できる素材が制約される。また、綴じ糸の両端を手で結ばなければならないので、カレンダーの製造工程の一部を自動化できず、また結び目が外に表れてカレンダーの外観が悪くなるといった欠点があった。
【０００７】
また、特許文献２に開示されているカレンダーでは、吊下用孔に吊下げ紐を結んでいるが、吊下げ紐を使用しないで吊下用孔に釘などを通す際には、却って吊下げ紐が邪魔になる欠点がある。また、吊下げ紐の結び目が表れて外観が悪くなる。
【０００８】
また、特許文献３に開示されているカレンダーでは、吊下げ紐の端をそれぞれバネ性を有する特殊な吊り具に結んでおき、これらの吊り具を紙製の綴じ枠の端部に差し込んで取り付けている。しかし、このようなカレンダーでは、金属製の特殊な吊り具を必要とするので、コストが高くつくとともに紙製の綴じ枠を用いた意味がなくなる。
【先行技術文献】
【特許文献】
【０００９】
【特許文献１】特開２００２−１２７６４０号公報
【特許文献２】実用新案登録第３０９７９５６号公報
【特許文献３】実用新案登録第３１６３８９０号公報
【考案の概要】
【考案が解決しようとする課題】
【００１０】
本考案は、上記のような技術的課題に鑑みてなされたものであって、その目的とするところは、非金属製の綴じ枠を用いたカレンダーにおいて、簡単な構造によって吊下げ紐をしっかりと取り付けることのできるカレンダーを提供することにある。
【課題を解決するための手段】
【００１１】
本考案に係るカレンダーは、複数枚のカレンダー紙を束ねたカレンダー冊子の端部を非金属製の綴じ枠で綴じたカレンダーにおいて、前記カレンダー冊子と前記綴じ枠のうち少なくとも一方に吊下げ紐のそれぞれの端部を貼り付けたものである。
【００１２】
かかるカレンダーにあっては、吊下げ紐の端部を前記カレンダー冊子と前記綴じ枠のうち少なくとも一方に吊下げ紐のそれぞれの端部を貼り付けているので、吊下げ紐をカレンダーに簡単な構造と簡単な工程で取り付けることができる。また、吊下げ紐を取り付けるために金属部品などを必要としないので、カレンダーのコストを抑えることができ、カレンダーのリサイクルも容易になり、分別回収の手間も軽減される。
【００１３】
本考案に係るカレンダーの一実施態様においては、前記吊下げ紐の端部が、前記綴じ枠の内側において、それぞれ前記カレンダー冊子と前記綴じ枠のうち少なくとも一方に接着されていてもよい。このような実施態様によれば、吊下げ紐の端部が綴じ枠によって隠れるので、カレンダーの外観を損ねることがない。また、吊下げ紐の取り付け手段として接着剤を用いることにより、吊下げ紐の端部を取り付ける工程を簡略化でき、カレンダーの製造効率が向上する。
このとき、前記吊下げ紐の端部は、前記カレンダー冊子の前面又は背面において、それぞれ前記カレンダー冊子と前記綴じ枠のうち少なくとも一方に接着されていればよい。
また、前記吊下げ紐の端部を、前記綴じ枠の内面と前記カレンダー冊子の前面又は背面とに接着しておけば、吊下げ紐の取付強度を高くすることができるとともに、カレンダー冊子と綴じ枠の間で吊下げ紐の端部を接着する接着剤によりカレンダー冊子と綴じ枠とを接着させることができ、綴じ枠の取り付け強度も増大する。
【００１４】
本考案に係るカレンダーの別な実施態様においては、前記カレンダー冊子が複数個の接着剤注入孔を有し、前記カレンダー冊子と前記綴じ枠が前記接着剤注入孔に塗布された接着剤によって互いに接着されており、前記吊下げ紐の端部が、前記接着剤注入孔から外れた位置において、それぞれ前記カレンダー冊子と前記綴じ枠のうち少なくとも一方に接着されていてもよい。かかる実施態様によれば、吊下げ紐の端部が接着剤注入孔に重ならないので、吊下げ紐の端部によって接着剤注入孔への接着剤の供給が妨げられることがなく、カレンダー冊子と綴じ枠の接着不良が生じにくくなる。
また、かかる実施態様においては、前記吊下げ紐の端部を、前記接着剤注入孔に塗布される接着剤と同じ種類の接着剤によって、それぞれ前記カレンダー冊子と前記綴じ枠のうち少なくとも一方に接着すれば、カレンダーの製造工程を簡略にすることができ、コストも安価にできる。
【００１５】
本考案に係るカレンダーのさらに別な実施態様においては、前記吊下げ紐が、編み紐によって形成されている。かかる実施態様によれば、吊下げ紐を接着するための接着剤が吊下げ紐に絡み易くなるので、吊下げ紐の接着強度が向上する。
【００１６】
本考案に係るカレンダーのさらに別な実施態様においては、前記吊下げ紐のうち貼り付けられていない部分が、前記カレンダー冊子に挟み込まている。かかる実施態様によれば、後からカレンダーに追加印刷などを行う場合にも、吊下げ紐が邪魔になりにくくなり、追加印刷などの後工程が容易になる。
【００１７】
本考案に係るカレンダーのさらに別な実施態様においては、前記綴じ枠が、紙によって形成されている。かかる実施態様によれば、カレンダー全体が紙（または、紙と繊維など）によって構成されるので、カレンダーのリサイクル性がさらに良好となり、廃棄時に分別回収する必要が無くなる。
【図面の簡単な説明】
【００１８】
【図１】図１は、本考案の実施形態１によるカレンダーを示す正面図である。
【図２】図２は、図１のＸ−Ｘ線に沿った断面を示す拡大断面図である。
【図３】図３は、図１に示したカレンダーの上部を示す正面図であって、吊下げ紐をカレンダー冊子に接着した状態を示す。
【図４】図４は、図１に示したカレンダーの上部を示す正面図であって、吊下げ紐とカレンダー冊子に接着剤を塗布した状態を示す。
【図５】図５は、実施形態１によるカレンダーの出荷時の状態を示す正面図である。
【図６】図６は、本考案の実施形態２によるカレンダーの上部を示す正面図であって、綴じ枠の前片を開いた状態を示す。
【図７】図７は、本考案の実施形態３によるカレンダーの上部を示す正面図であって、綴じ枠の前片を開いた状態を示す。
【図８】図８は、図７に示す実施形態３によるカレンダーの上部を示す背面図であって、綴じ枠の背片を開いた状態を示す。
【図９】図９は、本考案の実施形態４によるカレンダーの上部を示す正面図であって、綴じ枠の前片を開いた状態を示す。
【考案を実施するための形態】
【００１９】
以下、添付図面を参照しながら本考案の好適な実施形態を説明する。但し、本考案は以下の実施形態に限定されるものでなく、本考案の要旨を逸脱しない範囲において種々設計変更することができる。
【００２０】
（第１の実施形態）
以下、図１〜５を参照して本考案の実施形態１を説明する。このうち図１は本考案の実施形態１によるカレンダー１１を示す正面図である。図２は、図１のＸ−Ｘ線に沿った断面を示す拡大断面図である。
【００２１】
図１に示すカレンダー１１は、複数枚のカレンダー紙１２（表紙を含む。）を束ねてカレンダー冊子１３を構成し、カレンダー冊子１３の上端を綴じ枠１４によって綴じたものである。各カレンダー紙１２は、暦を印刷してあれば、どのような形態のものであってもよい。例えば、図１に示すカレンダー１１では、装飾用の写真や図柄などを印刷するための装飾領域１２ａの下に２ヵ月単位で暦が印刷されている。各カレンダー紙１２の上端部には、綴じ枠１４の下縁に沿ってミシン目１５が切り込まれている。
【００２２】
綴じ枠１４の中央には、カレンダー１１を釘やフックなどに引っ掛けるための吊下用孔１６があけられている。また、綴じ枠１４には、その強度を高めて綴じ枠１４が折れ曲がりにくくするためのリブ１７を設けている。
【００２３】
綴じ枠１４の材料としては、厚紙又は生分解合成紙などの紙が用いられている。綴じ枠１４としては、非金属であればプラスチックなど紙以外の材料を用いることもできるが、カレンダーの分別回収の手間を省き、またカレンダーを再生資源として利用できるようにするためには、綴じ枠１４もカレンダー紙１２と同じく紙製とすることが望ましい。綴じ枠１４は、図２に示すように二つ折りとなっていて、カレンダー冊子１３の上端部を挟んでいる。カレンダー冊子１３（すなわち、各カレンダー紙１２）の上端部には、その幅方向に沿って複数個の接着剤注入孔１９が開口されており、接着剤注入孔１９に充填させたホットメルト樹脂等の接着剤２０によって綴じ枠１４の前面側の片（以下、前片という。）１４ａと背面側の片（以下、背片という。）１４ｂとが接着され、同時にカレンダー冊子１３が綴じ枠１４に接着され保持されている。
【００２４】
吊下げ紐１８は、後述のようにホットメルト樹脂などの接着剤２１ａ、２１ｂによって両側端部だけをカレンダー冊子１３と綴じ枠１４に接着されている。吊下げ紐１８は、断面が円形のものであってもよいが、少なくとも端部の断面が扁平なものを用いることが好ましい。吊下げ紐１８の断面が扁平なものを用いれば吊下げ紐１８とカレンダー冊子１３又は綴じ枠１４との接着面積を大きくでき、吊下げ紐１８の取付け強度を高くできる。
【００２５】
また、吊下げ紐１８の素材は、金属以外のものであれば特に限定されず、繊維系の紐、紙製の紐、ナイロン紐などを用いることができる。図示例では、全体が扁平な断面を有する編み紐（繊維）を用いている。吊下げ紐１８を編み紐で形成してあれば、接着剤２１ａ、２１ｂが編み紐の凹凸（編み柄）に絡むことで吊下げ紐１８がカレンダー冊子１３と綴じ枠１４の間から抜けにくくなる。
【００２６】
つぎに、吊下げ紐１８をカレンダー冊子１３や綴じ枠１４に接着する工程を説明する。図３は接着剤２１ａによって吊下げ紐１８を接着した状態を示すカレンダー上部の正面図、図４は接着剤２０、２１ｂを塗布した直後の状態を示すカレンダー上部の正面図である。
【００２７】
カレンダー冊子１３に綴じ枠１４と吊下げ紐１８を取り付ける場合には、まず図３に示すように、綴じ枠１４を開いた状態でカレンダー冊子１３の背面上端部を背片１４ｂの内面に重ねて位置決めする。この段階では、まだ綴じ枠１４とカレンダー冊子１３には、吊下用孔１６をあけられていない。また、カレンダー冊子１３の前面上端部のうち吊下げ紐１８の端部を接着しようとする箇所に、ホットメルト樹脂などの溶融状態の接着剤２１ａを塗布する。この接着剤２１ａの塗布箇所は、接着剤注入孔１９と重ならない位置とすることが好ましい。接着剤２１ａを塗布した箇所に吊下げ紐１８の端部を重ね、硬化した接着剤２１ａによって吊下げ紐１８の端部を仮保持させる。
【００２８】
ついで、カレンダー冊子１３、綴じ枠１４及び吊下げ紐１８の端部をそれぞれ保持した状態で、図４に示すように、吊下げ紐１８の端部とその周囲にホットメルト樹脂などの溶融状態の接着剤２１ｂを塗布するとともに、接着剤注入孔１９を含む領域にホットメルト樹脂などの溶融状態の接着剤２０を塗布する。接着剤２０は、吊下用孔１６をあける位置を飛ばして塗布する。接着剤２０、２１ｂが硬化しないうちに綴じ枠１４の前片１４ａを折り畳んでカレンダー冊子１３の前面上端部に重ねる。そして、綴じ枠１４に圧力を加えて押圧した状態で接着剤２０、２１ｂ（及び再溶融した接着剤２１ａ）を硬化させる。
【００２９】
この結果、接着剤注入孔１９内に充填した接着剤２０によって綴じ枠１４の前片１４ａと背片１４ｂとカレンダー冊子１３の上端部とが一体に接合され、カレンダー冊子１３の上端部が綴じ枠１４によって綴じられる。また、吊下げ紐１８の端部も、接着剤２１ａ、２１ｂによってカレンダー冊子１３の前面と綴じ枠１４の前片１４ａに接着される。この後、綴じ枠１４の所定位置にパンチングによって吊下用孔１６をあける。
【００３０】
本実施形態のカレンダー１１によれば、以下に述べるような多くの作用効果を奏し得るようになる。すなわち、接着剤２１ａ、２１ｂを塗布して吊下げ紐１８の端部をカレンダー冊子１３と綴じ枠１４に接着するだけでよいので、簡単な工程で吊下げ紐１８をカレンダー１１に取り付けることができ、カレンダー１１の製造効率が向上する。特に、特許文献１のように吊下げ紐１８の端部どうし結ばなくてよいので、吊下げ紐１８の取り付け工程が簡単になって自動化にも適する。また、吊下げ紐１８を接着するための接着剤２１ｂとして、接着剤注入孔１９に塗布する接着剤２０と同じものを用いれば、両接着剤２０、２１ｂを同時に塗布することも可能になり、さらにカレンダー１１の製造工程が簡略化される。
【００３１】
このカレンダー１１では、吊下げ紐１８を設けてあっても、製造工程の簡略化によってコストの上昇をできるだけ抑えることができる。特に、吊下げ紐１８をカレンダー１１に取り付けるために特許文献３のような金具（吊り具）を必要としないので、カレンダー１１のコストを安価にできる。さらに、吊下げ紐１８を接着するための接着剤２１ａ、２１ｂとして、接着剤注入孔１９に塗布する接着剤２０と同じものを用いれば、カレンダー１１の製造コストを低減できる。
【００３２】
また、紙製の綴じ枠１４と紙製や繊維系の吊下げ紐１８を用いた場合には、カレンダー１１の全体が紙と繊維によって構成され、特に金属部品を必要としないので、カレンダーのリサイクル性がさらに良好となり、廃棄時に分別回収する必要が無くなる。
【００３３】
このカレンダー１１では、吊下げ紐１８の端部を綴じ枠１４の内面とカレンダー冊子１３の双方に接着しているので、吊下げ紐１８の接着強度を高くできるとともに、吊下げ紐１８の端部を接着するための接着剤２１ａ、２１ｂによってカレンダー冊子１３と綴じ枠１４を接着することもでき、綴じ枠１４の取り付け強度も増大する。また、吊下げ紐１８を編み紐によって形成した場合には、吊下げ紐１８の手触りが良好になるばかりでなく、吊下げ紐１８を接着するための接着剤２１ａ、２１ｂが吊下げ紐１８に絡み易くなるので、吊下げ紐１８の接着強度が向上する。さらに、吊下げ紐１８の端部を接着剤注入孔１９に重ならないように配置しているので、吊下げ紐１８の端部によって接着剤注入孔１９への接着剤の供給が妨げられることがなく、カレンダー冊子１３と綴じ枠１４の接着不良を防ぐことができる。
【００３４】
また、カレンダー１１では、吊下げ紐１８の端部は、カレンダー冊子１３と綴じ枠１４の間に挟まれていて綴じ枠１４によって隠されている。従って、特許文献１及び２のように吊下げ紐１８の結び目などが生じず、また吊下げ紐１８の端部が外から見えないので、カレンダー１１の外観も良好となる。
【００３５】
カレンダー１１には、以上のように製造工程の簡略化、コストアップの抑制、リサイクル性や分別回収性の向上、吊下げ紐の接着強度の向上、カレンダーの外観の向上といった利点が存在するが、これ以外にも、吊下げ紐１８の素材に対する制約が少ない（特許文献１との比較）、吊下用孔１６の邪魔にならない（特許文献２との比較）といった特徴もある。
【００３６】
図５は、上記カレンダー１１の出荷時の形態を示す正面図である。上記のようにして製造されたカレンダー１１は、図５に示すように、吊下げ紐１８をカレンダー冊子１３に挟みこんだ状態、すなわち吊下げ紐１８をカレンダー紙１２とカレンダー紙１２との間に挟み込んだ状態で出荷されることがある。
【００３７】
カレンダー業界の形態としては、カレンダー製造業者からカレンダー代理店へカレンダーを卸し、カレンダー代理店では、顧客からの注文に応じてカレンダーの余白部分やあらかじめ設けられている印刷スペースに顧客名や商品広告などを追加印刷することがある。このとき、カレンダー代理店では、出来上がっているカレンダーを印刷機に入れて追加の印刷を行うので、カレンダーに吊下げ紐がついていると吊下げ紐が邪魔になる。たとえば、吊下げ紐が作業者などに引っ掛かってカレンダーから外れたり、印刷機に絡まったりする恐れがある。
【００３８】
したがって、図５に示すように、吊下げ紐１８をカレンダー冊子１３に挟みこんでおけば、カレンダー代理店あるいはそれ以外のところでも、吊下げ紐１８が邪魔になることがなくなり、カレンダー１１の取扱いが容易になる。
【００３９】
なお、吊下げ紐１８は、カレンダー１１に吊下げ紐１８の両端を取り付けた後に一部のカレンダー紙１２を吊下げ紐１８にくぐらせてカレンダー冊子１３に挟みこんでもよいが、あらかじめ吊下げ紐１８をカレンダー冊子１３に挟みこんでおき、その後で吊下げ紐１８の両端部をカレンダー冊子１３又は綴じ枠１４に取り付けるようにしてもよい。
【００４０】
（第１の実施形態の変形例）
なお、上記実施形態においては、吊下げ紐１８は、カレンダー冊子１３の前面と綴じ枠１４の内面との双方に接着されていた。これに対し、実施形態１の変形例においては、吊下げ紐１８をカレンダー冊子１３の前面にのみ接着するようにすることも可能である。例えば、接着剤２１ａによってあらかじめ吊下げ紐１８の端部を接着固定されたカレンダー冊子１３に、接着剤２０によって後工程で綴じ枠１４を取り付ける場合である。
【００４１】
（第２の実施形態）
図６は、本考案の実施形態２によるカレンダー３１の上端部を示す正面図であって、綴じ枠１４の前片１４ａを開いた状態である。この実施形態では、前片１４ａの内面に塗布した接着剤２１ａによって吊下げ紐１８の端部を前片１４ａに接着して仮保持させる。さらに図６に示すように、吊下げ紐１８の端部とその周辺に上から接着剤２１ｂを塗布し、同時に接着剤注入孔１９を含む領域に接着剤２０を塗布し、綴じ枠１４を折り畳んで吊下げ紐１８と前片１４ａをカレンダー冊子１３の前面に接着する。この結果、吊下げ紐１８の端部はカレンダー冊子１３の前面と前片１４ａの内面との双方に接着される。この場合には、吊下げ紐１８の端部の接着位置が接着剤注入孔１９に重なっても差し支えない。他の特徴については、実施形態１と同様であるので、説明は省略する。
【００４２】
なお、このカレンダー３１でも、吊下げ紐１８の端部は前片１４ａの内面にだけ接着されていてもよい。
【００４３】
（第３の実施形態）
図７は、本考案の実施形態３によるカレンダー３２の上端部を示す正面図であって、綴じ枠１４の前片１４ａを開いた状態である。また、図８は、カレンダー３２の上端部を示す背面図であって、綴じ枠１４の背片１４ｂを開いた状態である。この実施形態では、接着剤２１ａによって吊下げ紐１８の端部をカレンダー冊子１３の背面に仮接着しておき、さらに吊下げ紐１８の端部上に接着剤２１ｂを塗布してカレンダー冊子１３の背面に背片１４ｂの内面を重ね、吊下げ紐１８を背片１４ｂにも接着させるとともに綴じ枠１４をカレンダー冊子１３の背面に仮止めする。ついで、カレンダー冊子１３の前面において接着剤注入孔１９を含む領域に接着剤２０を塗布し、綴じ枠１４を折り畳んで前片１４ａをカレンダー冊子１３の前面に接着する。他の特徴については、実施形態１と同様であるので、説明は省略する。
【００４４】
実施形態３のカレンダー３２では、接着剤２１ａ、２１ｂによって吊下げ紐１８の端部をカレンダー冊子１３の背面と背片１４ｂに接着しておけば、それによって綴じ枠１４をカレンダー冊子１３に仮止めすることができる。よって、接着剤注入孔１９を含む領域に接着剤２０を塗布する工程においてカレンダー冊子１３と綴じ枠１４をそれぞれ位置決めする必要がなくなり、接着剤２０の塗布工程（に用いる機器の構造）を簡略化することができる。
【００４５】
（第４の実施形態）
図９は、本考案の実施形態４によるカレンダー３３の上端部を示す正面図であって、綴じ枠１４の前片１４ａを開いた状態である。この実施形態では、両面粘着テープ２２を用いて吊下げ紐１８の端部をカレンダー冊子１３の背面と綴じ枠１４の背片１４ｂの内面とに接着している。
【００４６】
吊下げ紐１８を接着する手順としては、カレンダー冊子１３の接着剤注入孔１９を含む領域に接着剤２０を塗布する前に、あるいは塗布した直後に、接着剤２０の塗布位置を避けて吊下げ紐１８の端部をカレンダー冊子１３の前面に位置決めし、その上から両面粘着テープ２２を吊下げ紐１８の端部とカレンダー冊子１３に貼り付けて吊下げ紐１８の端部をカレンダー冊子１３に貼り付ける。ついで、綴じ枠１４を折り畳んで接着剤２０により綴じ枠１４をカレンダー冊子１３に取り付けるとともに、両面粘着テープ２２の他方の面を前片１４ａの内面に接着させる。
【００４７】
なお、両面粘着テープ２２と接着剤とを併用しても差し支えない。
【００４８】
（その他）
本考案は、たとえば吊下げ紐の一方の端部をカレンダー冊子の前面に貼り付け、他方の端部をカレンダー冊子の背面に貼り付けるというように、適宜変更を加えることを排除するものでないことはもちろんである。
【符号の説明】
【００４９】
１１、３１、３２、３３      カレンダー
１２      カレンダー紙
１３      カレンダー冊子
１４      綴じ枠
１４ａ      前片
１４ｂ      背片
１５      ミシン目
１６      吊下用孔
１７      リブ
１８      吊下げ紐
１９      接着剤注入孔
２０、２１ａ、２１ｂ      接着剤
２２      両面粘着テープ
【図１】
0003167654.tif 000003
【図２】
0003167654.tif 000004
【図３】
0003167654.tif 000005
【図４】
0003167654.tif 000006
【図５】
0003167654.tif 000007
【図６】
0003167654.tif 000008
【図７】
0003167654.tif 000009
【図８】
0003167654.tif 000010
【図９】
0003167654.tif 000011